(57)【要約】【課題】プリンタ本体に給紙部を一体に設けるいわゆるカセットレス構造を採用するにあたり、カセットレス構造の給紙部の不具合を同時に解消することを目的としている。【解決手段】プリンタ本体２に、印刷及び消去可能な記録媒体Ｐａを補給するための給紙部３を備え、この給紙部３に、記録媒体Ｐａを載置する底板３２と、この底板３２を昇降させる昇降機構４と、記録媒体Ｐａを補給するための開口部１０と、開口部１０の内側に左右に対をなしてゲート部材３６、３６を設け、このゲート部材３６は記録媒体Ｐａの幅寸法よりも幅狭な間口を形成する閉扉位置と、幅寸法以上に開く開扉位置との間で可動で、かつ開扉位置から閉扉位置へ付勢されていて、一時的に記録媒体Ｐａによってゲート部材３６が押し開かれて開扉位置に移動した後、記録媒体Ｐａが奥行き方向所定位置にセットされた段階で復帰許容部１１においてゲート部材３６が閉扉位置に復帰するように構成した。【選択図】図１
2013095515.tif 000002
【特許請求の範囲】
【請求項１】
プリンタ本体に、印刷及び消去可能な記録媒体を補給するための給紙部を一体に備え、当該給紙部に、記録媒体を載置する底板と、この底板を昇降させる昇降機構と、前記昇降方向と直交する奥行き方向に向かって記録媒体を補給するための開口部とを設けたものであって、
前記開口部の内側における給紙空間に左右に対をなしてゲート部材を設け、このゲート部材はその間に記録媒体の幅寸法よりも幅狭な間口を形成する閉扉位置と、その間口を記録媒体の幅寸法以上に開く開扉位置との間で可動とされ、かつ開扉位置から閉扉位置に向かって付勢されていて、記録媒体を挿入した際に一時的に当該記録媒体によってゲート部材が押し開かれて開扉位置に移動した後、記録媒体が奥行き方向所定位置にセットされた段階で記録媒体の一部もしくは反挿入端側の端部付近に設定した復帰許容部にゲート部材が移動して閉扉位置に復帰するように構成したことを特徴とするリライタブルプリンタ。
【請求項２】
ゲート部材が少なくとも閉扉位置もしくは開扉位置にあることを検出する検出部を設けるとともに、昇降機構の駆動に始まる給紙動作を司る制御部にこの検出部からの検出信号を入力して、ゲート部材が閉扉位置にある状態では制御部が前記昇降機構の給紙動作を開始しないように構成している請求項１記載のリライタブルプリンタ。
【請求項３】
記録媒体の奥行き方向側の端部に切欠部を設けて左右非対称に構成するとともに、給紙空間の内奥における前記切欠部の対応位置に給紙空間を狭める方向の突出部を設け、記録媒体が所定姿勢で奥行き方向に挿入された場合に奥行き方向所定位置で切欠部と突出部が係合する一方、表裏反転している状態では記録媒体の一部が奥行き方向所定位置の手前で突出部と干渉してそれ以上の挿入が妨げられるように構成されており、その状態ではゲート部材が開扉位置から閉扉位置に復帰しない位置関係に設定している請求項１又は２記載のリライタブルプリンタ。
【請求項４】
左右一対のゲート部材が連動機構を介して接続され、一方のゲート部材に加えられる閉扉位置から開扉位置に向かう操作力で他方のゲート部材が連動するように構成している請求項１〜３の何れかに記載のリライタブルプリンタ。
【請求項５】
開口部に開閉可能な蓋を備え、記録媒体を奥行き方向所定位置に補給した状態で、当該記録媒体の反奥行き方向側の端部と蓋との間に間隙が存する寸法関係にある請求項１〜４の何れかに記載のリライタブルプリンタ。
【請求項６】
少なくとも長さの異なる２種類の記録媒体を所定位置に挿入可能であって、両記録媒体ともに、奥行き方向所定位置でゲート部材が開扉位置から閉扉位置に復帰することを許容する復帰許容部が設定してある請求項１〜５の何れかに記載のリライタブルプリンタ。
【発明の詳細な説明】
【技術分野】
【０００１】
本発明は、印刷及び消去可能な記録媒体を昇降させる昇降機構を備えたプリンタに係り、特に、昇降機構が昇降する際、所望の昇降動作を行うのに適したプリンタに関する。
【背景技術】
【０００２】
印刷及び消去可能な記録媒体に対し、画像の印刷及び消去を行うプリンタの一例として、リライタブルプリンタが知られている。
【０００３】
この種のプリンタとして例えば特許文献１には、感熱記録媒体をプリンタに給紙するための給紙口を有する給紙部と、給紙口から挿入される感熱記録媒体の印刷層に印刷された画像を消去する消去部とを備えており、給紙部は、感熱記録媒体を複数枚重ねて載置可能な給紙トレイと、給紙トレイに載置された感熱記録媒体を１枚ずつ順次消去部に向かって送り出すローラとを備えたプリンタが開示されている。
【０００４】
また特許文献２には、記録用メディアを積載する給紙トレイと、記録用メディアを給紙トレイから画像形成部へと搬出する給紙機構部とを有しており、給紙トレイは、積載した記録メディアを上昇させて給紙機構部に取り込めるよう当接させる底板を備えたプリンタが開示されている。
【先行技術文献】
【特許文献】
【０００５】
【特許文献１】特開２０１０−２２８３１８号公報
【特許文献２】特開２００９−２０８８６６号公報
【発明の概要】
【発明が解決しようとする課題】
【０００６】
ところで、特許文献１のタイプのプリンタにおいて、特許文献２のタイプのプリンタのように、使用者が記録媒体を補給しやすいように記録媒体を複数枚重ねて載置可能な給紙部をプリンタ本体に対して着脱可能に設けるいわゆるカセット仕様とする態様がある。このような態様のプリンタでは、プリンタ本体側に昇降機構を設ける一方、プリンタ本体に給紙部が装着された状態において給紙部の底部に設けた貫通孔を介して昇降機構を給紙部内に導入し、当該給紙部内に配置した底板を昇降可能に支持させる構造が必要になる。
【０００７】
しかしながら、このようなカセットタイプでは、底板を入れ忘れると、記録媒体が適正に持ち上げられず、上方に待機する搬送機構に適切な姿勢で記録媒体が供給されない事態が生じ得るし、底板の有無を検出するためのセンサも必要になる。また、底板のガタつきへの対処も必要になり、底板が確実に上昇しなければ搬送精度にも影響が出てくる。さらに、カセットは一件一様であるため、種類の異なるプリンタ本体に対して汎用性が悪い。
【０００８】
そこで、このような不具合を解消するためには、やはりプリンタに給紙部を一体に設けておくいわゆるカセットレス構造が有効となるが、このような構造は給紙部への記録媒体の補給し難さの点を解消する必要がある。
【０００９】
すなわち、カセットの場合はプリンタ本体から引き抜いて上方から記録媒体を補給するため、記録媒体の先端が給紙空間の所定奥行き位置にセットできたか否かを視認できるが、給紙部を一体とする場合にはプリンタ本体内の機構的な制約等により給紙部を上方に開放して記録媒体をセットできない場合があり、上下方向と直交する奥行き方向に向かって記録媒体を給紙する位置に開口部を設けざるを得ない場合がある。このような場合に、奥行き方向の所定位置に記録媒体の先端がセットされたか否かを、開口部を介して給紙空間を覗き込んで記録媒体の後方から把握するのは難しい。このため、記録媒体が中途半端に挿入されたときに上方に待機する搬送ローラ等に対して給紙不良を起こすおそれがある。
【００１０】
特に、この種のプリンタは、設置場所が他の機器類との関係上、或いは埃を避けるために床から遠ざけたい等の理由により、比較的高い場所に設定されることがあり、このような場合には開口を介して給紙空間の内部を視認することさえも難しくなる。
【００１１】
この場合、従来のカセット式で採用される、柱を給紙空間内に設けておくことも考えられる。すなわち、従来のカセット式のものでは、カセットに対して記録媒体を収納する際、カセットの上部から記録媒体を収納する構造が一般的であり、この場合、カセットに長手方向（記録媒体の幅方向と直交する方向）の長さが異なる複数種類の記録媒体を収納できるようにするために、記録媒体が長いもの（カセットの長手方向寸法とほぼ同じもの）はそのまま収納するのに対して、記録媒体が短いもの（カセットの長手方向寸法よりも短いもの）はカセットの高さ方向に延びる柱を記録媒体の収納空間を幅狭にする状態で左右に設けて、柱で区切られた奥側の領域に記録媒体を収めるようにしている。
【００１２】
ところが、このような柱を上記カセットレス構造に採用して積層した記録媒体を開口部を介し奥行き方向に向かって挿入しようとすると、左右に柱が存在する位置で給紙空間が幅狭になっているため、記録媒体の短いものについては一旦全体を斜めに傾けて柱を通過させた後に水平姿勢に戻さなければならず、記録媒体の長いものについては全体を斜めに傾けたまま水平姿勢に戻すことさえできなくなるため、単に従来の柱をそのまま採用することは困難である。
【００１３】
本発明は、プリンタ本体に給紙部を一体に設けるいわゆるカセットレス構造を採用するにあたり、このような課題を有効に解決することを目的としている。
【課題を解決するための手段】
【００１４】
本発明は、かかる目的を達成するために、次のような手段を講じたものである。
【００１５】
すなわち、本発明に関するプリンタは、プリンタ本体に、印刷及び消去可能な記録媒体を補給するための給紙部を一体に備え、当該給紙部に、記録媒体を載置する底板と、この底板を昇降させる昇降機構とを設けるとともに、前記昇降方向と直交する奥行き方向に向かって記録媒体を補給するための開口部を具備するものにおいて、前記開口部の内側における給紙空間に左右に対をなしてゲート部材を設け、このゲート部材はその間に記録媒体の幅寸法よりも幅狭な間口を形成する閉扉位置と、その間口を記録媒体の幅寸法以上に開く開扉位置との間で可動とされ、かつ開扉位置から閉扉位置に向かって付勢されていて、記録媒体を挿入した際に一時的に当該記録媒体によってゲート部材が押し開かれて開扉位置に移動した後、記録媒体が奥行き方向所定位置にセットされた段階で記録媒体の一部もしくは反挿入端側の端部付近に設定した復帰許容部にゲート部材が移動して閉扉位置に復帰するように構成した。
【００１６】
このように構成すれば、底板が昇降機構と一体となることによってガタつきを解消され、搬送精度の向上につながるほか、底板を入れ忘れて昇降機構を作動させた場合の不具合もなく、底板の有無を検知するセンサも不要になり、プリンタの種類ごとにカセットの仕様を用意するといった無駄も解消することができる。しかも、給紙部に奥行き方向に向かって記録媒体を補給しなければならない構造であっても、記録媒体が奥行き方向所定位置にセットされていなければゲート部材が開扉状態から閉扉状態に移動しないため、ゲート部材が開口部を介して視認できる状態にあれば、記録媒体が適正な位置にセットされたか否かが一目瞭然となり、記録媒体が中途半端に挿入されたときに生じる給紙不良を有効に回避するとともに、記録媒体を斜めに傾けて挿入しなければならないといった不都合も有効に解消することができる。
【００１７】
また、記録媒体が中途半端に挿入されたときに生じる給紙不良を目視によらずとも確実に回避するためには、前記ゲート部材が少なくとも閉扉位置もしくは開扉位置にあることを検出する検出部を設けるとともに、昇降機構の駆動に始まる給紙動作を司る制御部にこの検出部からの検出信号を入力して、ゲート部材が閉扉位置にある状態では制御部が前記昇降機構の給紙動作を開始しないように構成することが好ましい。
【００１８】
さらに、単に奥行き方向への挿入操作が不十分な場合だけでなく、表裏が反転していることを確実に検知するためには、記録媒体の奥行き方向側の端部に切欠部を設けて左右非対称に構成するとともに、給紙空間の内奥における前記切欠部の対応位置に給紙空間を狭める方向の突出部を設け、記録媒体が所定姿勢で奥行き方向に挿入された場合に奥行き方向所定位置で切欠部と突出部が係合する一方、表裏反転している状態では記録媒体の一部が奥行き方向所定位置の手前で突出部と干渉してそれ以上の挿入が妨げられるように構成されており、その状態ではゲート部材が開扉位置から閉扉位置に復帰されない位置関係に設定すると好適である。
【００１９】
なお、さらに使い勝手を有効に向上させるためには、左右一対のゲート部材が連動機構を介して接続され、一方のゲート部材に加えられる閉扉位置から開扉位置に向かう操作力で他方のゲート部材が連動するように構成することも有効である。
【００２０】
さらにまた、本発明が特に有効となる適用対象としては、前記開口部に開閉可能な蓋を備え、記録媒体を奥行き方向所定位置に補給した状態で、当該記録媒体の反奥行き方向側の端部と蓋との間に間隙が存する寸法関係にあるものが挙げられる。
【００２１】
加えて、種類の異なる記録媒体に対して本発明を共用するためには、少なくとも長さの異なる２種類の記録媒体を所定位置に挿入可能にして、両記録媒体ともに、奥行き方向所定位置でゲート部材が開扉位置から閉扉位置に復帰することを許容する復帰許容部が設定して構成するとさらに好適である。
【発明の効果】
【００２２】
本発明は、以上説明した構成であるから、給紙部をプリンタ本体に一体に設け、この給紙部に対して記録媒体を奥行き方向から給紙するように構成しても、記録媒体が奥行き方向所定位置にセットされたことを的確に検知することを可能として、カセット形給紙部の不具合を回避するとともに、カセットレス構造の給紙部の不具合を同時に解消した、新規有用なプリンタを提供することができる。
【図面の簡単な説明】
【００２３】
【図１】本発明の一実施形態に係るプリンタの全体概略図。
【図２】同実施形態における給紙部の構成を示す部分斜視図。
【図３】同給紙部に設けたゲート部材と記録媒体の挿入状態との関係を示す模式的な説明図。
【図４】同実施形態の連動機構を例示する模式的な平面図。
【図５】本発明の変形例を示す図３に対応した模式的な説明図。
【発明を実施するための形態】
【００２４】
以下、本発明の一実施形態を、図面を参照して説明する。
【００２５】
本実施形態のプリンタ１は、図１に示すプリンタ本体２に、印刷及び消去可能な記録媒体Ｐａを補給するための給紙部３を一体に備え、当該給紙部３に、記録媒体Ｐａを載置する底板３２と、この底板３２を昇降させる昇降機構４と、前記昇降方向と直交する奥行き方向（Ｙ方向）に向かって記録媒体Ｐａを補給するための開口部１０とを設けている。
【００２６】
前記底板３２が昇降機構４によって上昇する先には、底板３２の上の記録媒体Ｐａを所定方向へ搬出する搬送手段たる搬送ローラ５が備わっており、搬送ローラ５より搬出された記録媒体Ｐａに印刷された画像を消去する消去部６と、消去部６を通過した記録媒体Ｐａに画像を印刷する印刷部７と、消去部６と印刷部７との間の搬送経路上で昇降移動する運搬機構８と、印刷部７を通過した記録媒体Ｐａを外部へ排出するための排出口９１を有する排出部９とを備えた、いわゆるリライタブルプリンタと称されるものである。
【００２７】
このプリンタ１は、例えば図１に示すように台座Ｂ上に設置されて比較的高い位置に配置されるものであり、給紙空間Ａの上方には搬送ローラ５等の機構部品が備わっていて上方に開放しにくい構造であるため、昇降方向と直交する奥行き方向（Ｙ方向）の端部に開口部１０を形成し、この開口部１０を介して記録媒体Ｐａの補給が行われるようにしているものである。
【００２８】
昇降機構４は、例えばＸリンク機構などで構成されるもので、底板３２が水平姿勢を保持したまま下降位置（Ｕ１）から上昇位置（Ｔ１）に向かって記録媒体Ｐａを搬送ローラ５に接触させる位置まで昇降駆動可能とするものである。
【００２９】
搬送ローラ５は、プリンタ本体２に装着された給紙部３内に収容された記録媒体Ｐａを１枚ずつ順次消去部６に向かって送り出すものである。
【００３０】
消去部６は、記録媒体Ｐａの印刷層（図示省略）を加熱する消去ヘッド６１と、消去ヘッド６１に対向配置された消去用プラテンローラ６２とを備えたものである。なお、図１は、記録媒体Ｐａの搬送方向を矢印で示している。
【００３１】
印刷部７は、記録媒体Ｐａの印刷層（図示省略）を加熱する印刷ヘッド７１（例えばサーマルヘッド）と、印刷ヘッド７１に対向配置された印刷用プラテンローラ７２とを備えたものである。
【００３２】
本実施形態のプリンタ１は、印刷部７を消去部６の上方に配置しており、消去部６を通過した記録媒体Ｐａは運搬機構８により印刷部７に搬送される。
【００３３】
運搬機構８は、記録媒体Ｐａを載置し得る載置部８１と、この載置部８１を消去部６と印刷部７との間の搬送経路上で昇降移動させるリフト部８２とを備えたものである。載置部８１は、トレイ状をなし、リンクメンバ８２１等から構成されるリフト部８２によって水平姿勢を保持したまま最下降位置（Ｕ２）と最上昇位置（Ｔ２）との間で高さ方向に移動可能なものである。
【００３４】
このような給紙部３における記録媒体Ｐａの昇降動作を始めとする消去部６への記録媒体Ｐａの給紙動作、消去部６における消去動作、消去部６から運搬機構８を介して印刷部７への記録媒体Ｐａの運搬、印刷部７における印刷動作等は、制御部ＣＮが司っている。
【００３５】
この実施形態で取り扱う記録媒体Ｐａは、所定の長さ寸法（例えば１５０ｍｍ）、所定の幅寸法のものである。
【００３６】
なお、このプリンタ１は、開口部１０に開閉可能な蓋３５を備えている。この蓋３５と記録媒体Ｐａとの寸法関係は、記録媒体Ｐａを奥行き方向所定位置に補給した状態で、当該記録媒体Ｐａの反奥行き方向（Ｙ方向）側の端部と扉３５との間に間隙ｄ（図３（ｃ）参照）が存する寸法関係にある。
【００３７】
このような構成において、本実施形態はさらに、図１〜図３に示すように前記開口部１０の内側に位置する給紙空間Ａの入ったところに、左右に対をなしてゲート部材３６、３６を設けている。このゲート部材３６は、板材を塑性変形加工して、ガイド片３６ａと、ガイド片３６ａの先端側に連続する係止片３６ｂとを一体に設けたもので、上下方向を軸心とする軸ｃ１に回転可能に取り付けられており、その間に前記記録媒体Ｐａの幅寸法よりも幅狭な間口を形成する閉扉位置（図３（ａ）参照）と、その間口を記録媒体Ｐａの幅寸法以上に開く開扉位置（図３（ｂ）参照）との間で可動とされ、基端はコイルバネ（図示省略）によって左右一対のゲート部材３６が近づく方向（閉扉方向）に弾性付勢されている。記録媒体Ｐａの挿入を妨げない位置には、ゲート部材３６が閉扉位置や開扉位置を越えて回転することを規制する不図示のストッパが配してある。ゲート部材３６は、下端が底板３２よりも低い位置にあり、上端が搬送ローラ５の配設高さ位置近くにまで延びている。
【００３８】
また、この記録媒体Ｐａには、奥行き方向（Ｙ方向）側の端部と側縁とのコーナー部Ｃにテーパ状の切欠部Ｎを設けて左右非対称に構成されており、これに対応して、給紙空間Ａの内奥における前記切欠部Ｎの対応位置に給紙空間Ａを狭める方向の突出部Ｅを斜面によって形成している。すなわち、記録媒体Ｐａが所定姿勢で奥行き方向（Ｙ方向）に挿入された場合には図３（ｃ）に示すように奥行き方向所定位置で切欠部Ｎと突出部Ｅが係合する一方、表裏反転している状態では図３（ｄ）に示すように記録媒体Ｐａの一部が奥行き方向所定位置の手前で突出部Ｅと干渉してそれ以上の挿入が妨げられるように構成されており、その状態ではゲート部材３６が開扉位置から閉扉位置に復帰されない位置関係に設定している。
【００３９】
そして、左右一対のゲート部材３６、３６は、連動機構を介して接続され、一方のゲート部材３６に加えられる閉扉位置から開扉位置に向かう操作力で他方のゲート部材３６が連動するように構成されている。連動機構には既知の適宜構造のものが採用可能であるが、例えば図４に一例を挙げると、この連動機構Ｌは、軸ｃ１から偏心した位置に軸ｃ１とともに回転するように偏心軸ｃ２を設けるとともに、給紙空間Ａの上方における幅方向中央部に前記軸ｃ１と平行な軸ｃ３によって中央部を枢着されたアームＬ２を設け、このアームＬ２の一端側に軸ｐ２を介してリンクＬ１の一端を枢着し、他端に設けた長孔ｐ１に前記偏心軸ｃ２を係合させた構造のものが採用可能である。アームＬ２の他端側と軸ｃ１との間にも同様の構造によってリンクＬ３が取り付けてある。すなわち、一方のゲート部材３６が開扉方向に操作されると、図４に矢印で示す偏心軸ｃ２の回転により対応するリンクＬ１が引っ張られてアームＬ２が回転し、他方のリンクＬ３を押し出して対応する他方のゲート部材３６が開扉方向に付勢され、操作力がなくなると両リンクＬ１、Ｌ３がコイルバネによってアームＬ２とともに図４の位置に復帰する構造のものである。勿論、このような構造に限定されるものではない。
【００４０】
さらにこの実施形態は、図１に示すように、ゲート部材３６が少なくとも閉扉位置もしくは開扉位置にあることを検出する検出部たるセンサＳを設けている。この実施形態のセンサＳは、前記アームＬ２の動きを通じてゲート部材３６が開扉位置にあることを検知して制御部ＣＮに入力し、センサＳから検出信号Ｓｉｇが出ている間は昇降機構４の駆動を始めとする給紙部３から消去部６への給紙動作が開始されないようにしている。
【００４１】
すなわち、記録媒体Ｐａを挿入した際に一時的に当該記録媒体Ｐａによって図３（ａ）→（ｂ）に示すようにゲート部材３６が押し開かれて開扉位置に移動した後、記録媒体Ｐａが奥行き所定位置にセットされた同図（ｃ）の段階で記録媒体Ｐａの反挿入端側の端部付近に設定した復帰許容部１１にゲート部材３６が移動して閉扉位置に復帰し、制御部ＣＮにおいて給紙動作の開始条件が満たされることになる。つまり、この復帰許容部１１は、記録媒体Ｐａがゲート部材３６を通過したときに後方に当該ゲート部材３６が復帰するために必要な動作空間を開放するものであり、反奥行き方向の端部付近が動作空間つまり復帰許容部１１として設定されている。
【００４２】
以上のように、本実施形態のプリンタ１は、プリンタ本体２に、印刷及び消去可能な記録媒体Ｐａを補給するための給紙部３を一体に備え、当該給紙部３に、記録媒体Ｐａを載置する底板３２と、この底板３２を昇降させる昇降機構４と、前記昇降方向と直交する奥行き方向（Ｙ方向）に向かって記録媒体Ｐａを補給するための開口部１０とを設けたものである。
【００４３】
そして、前記開口部１０の内側における給紙空間Ａに左右に対をなしてゲート部材３６、３６を設け、このゲート部材３６はその間に記録媒体Ｐａの幅寸法よりも幅狭な間口を形成する閉扉位置と、その間口を記録媒体Ｐａの幅寸法以上に開く開扉位置との間で可動とされ、かつ開扉位置から閉扉位置に向かって付勢されていて、記録媒体Ｐａを挿入した際に一時的に当該記録媒体Ｐａによってゲート部材３６が押し開かれて開扉位置に移動した後、記録媒体Ｐａが奥行き方向所定位置にセットされた段階で記録媒体Ｐａの一部もしくは反挿入端側の端部付近に設定した復帰許容部１１にゲート部材３６が移動して閉扉位置に復帰するように構成しているので、前記底板３２が昇降機構４と一体となることによってガタつきを解消され、搬送精度の向上につながるほか、底板３２を入れ忘れて昇降機構４を作動させた場合の不具合もなく、底板３２の有無を検知するセンサも不要になり、プリンタの種類ごとにカセットの仕様を用意するといった無駄も解消することができる。しかも、給紙部３に奥行き方向（Ｙ方向）に向かって記録媒体Ｐａを補給しなければならない構造であっても、記録媒体Ｐａが奥行き方向所定位置にセットされていなければゲート部材３６が開扉状態から閉扉状態に移動しないため、ゲート部材３６が開口部１０を介して視認できる状態にあれば、記録媒体Ｐａが適正な位置にセットされたか否かが一目瞭然となり、記録媒体Ｐａが中途半端に挿入されたときに生じる給紙不良を有効に回避するとともに、記録媒体Ｐａを斜めに傾けて挿入しなければならないといった不都合も有効に解消することができる。
【００４４】
また、ゲート部材３６が少なくとも閉扉位置もしくは開扉位置にあることを検出する検出部であるセンサＳを設けるとともに、昇降機構４の駆動に始まる給紙動作を司る制御部ＣＮにこのセンサＳからの検出信号Ｓｉｇを入力して、ゲート部材３６が閉扉位置にある状態では制御部ＣＮが前記昇降機構４の上昇に始まる給紙動作を開始しないように構成しているので、前記ゲート部材３６を視認せずとも、センサＳの検出結果に基づいて記録媒体Ｐａが適正にセットされたとき以外は給紙動作が開始されず、記録媒体Ｐａが中途半端に挿入されたときに生じる給紙不良を確実に回避することができる。
【００４５】
さらに、記録媒体Ｐａの奥行き方向（Ｙ方向）側の端部に切欠部Ｎを設けて左右非対称に構成するとともに、給紙空間Ａの内奥における前記切欠部Ｎの対応位置に給紙空間Ａを狭める方向の突出部Ｅを設け、記録媒体Ｐａが所定姿勢で奥行き方向（Ｙ方向）に挿入された場合に奥行き方向所定位置で切欠部３と突出部Ｅが係合する一方、表裏反転している状態では記録媒体Ｐａの一部が奥行き方向所定位置の手前で突出部Ｅと干渉してそれ以上の挿入が妨げられるように構成されており、その状態ではゲート部材３６が開扉位置から閉扉位置に復帰しない位置関係に設定しているので、このように、表裏が反転することによって物理的に奥行き方向（Ｙ方向）への挿入操作が十分に行えない構造のものに対して、単に奥行き方向（Ｙ方向）への挿入操作が不十分な場合だけでなく、表裏が反転していることを確実に検知することができる。
【００４６】
さらにまた、左右一対のゲート部材３６、３６が連動機構Ｌを介して接続され、一方のゲート部材３６に加えられる閉扉位置から開扉位置に向かう操作力で他方のゲート部材３６が連動するように構成しているので、例えば、記録媒体Ｐａがジャムリングを起こした場合等に、片手でゲート部材３６を開いてもう片方の手で記録媒体Ｐａの取り出し等を行うことができるので、使い勝手を有効に向上させることが可能となる。
【００４７】
加えて、前記開口部１０に開閉可能な蓋３５を備え、記録媒体Ｐａを奥行き方向所定位置に補給した状態で、当該記録媒体Ｐａの反奥行き方向（Ｙ方向）側の端部と蓋３５との間に間隙ｄが存する寸法関係にあり、前記蓋３５と、記録媒体Ｐａの反奥行き方向（Ｙ方向）側の端部との間に隙間が存しないもののようには蓋３５が閉まるか否かによって記録媒体Ｐａが奥行き方向所定位置にセットされたか否かが視認できずとも、記録媒体Ｐａが適正にセットされたことを確実に了知することができる。
【００４８】
以上、本発明の実施形態について説明したが、各部の構成は上述した実施形態に限定されるものではない。例えば、上記補給部３が図５に示すように、上記記録媒体Ｐａ以外に長さ寸法２００ｍｍの記録媒体Ｐａを挿入することが可能であって、この記録媒体Ｐａは蓋３５を閉止した際に記録媒体Ｐａの反奥行き方向（Ｙ方向）側の端部が蓋３５に当接ないし密接する関係にあるとした場合、前述したように蓋３５が閉まるか否かによって奥行き方向所定位置にセットされたか否かが確認できるとしても、記録媒体Ｐａが少ないときには所定位置にない状態でも記録媒体Ｐａをカールさせて押し込みながら蓋３５が閉められる場合もあるため、やはりゲート部材３６の作動を利用できることが好ましい。
【００４９】
そこで、図５に示すように記録媒体Ｐａの対応位置（先端から１５０ｍｍの位置）に復帰許容部として凹部１２を設け、奥行き方向所定位置でゲート部材３６がこの凹部１２において開扉位置から閉扉位置に復帰することを許容されるようにしておけば、種類の異なる記録媒体Ｐａに対して本発明を共用することができて、汎用性が向上することになる。
【００５０】
その他、各部の具体的構成についても上記実施形態に限定されるものではなく、本発明の趣旨を逸脱しない範囲で種々変形が可能である。
【符号の説明】
【００５１】
２・・・プリンタ本体
３・・・給紙部
４・・・昇降機構
１０・・・開口部
１１・・・復帰許容部
１２・・・復帰許容部（凹部）
３２・・・底板
３５・・・蓋
３６・・・ゲート部材
ＣＮ・・・制御部
Ｅ・・・突出部
Ｌ・・・連動機構
Ｎ・・・切欠部
Ｐａ・・・記録媒体
Ｓ・・・検出部（センサ）
Ｓｉｇ・・・検出信号
【図１】
2013095515.tif 000003
【図２】
2013095515.tif 000004
【図３】
2013095515.tif 000005
【図４】
2013095515.tif 000006
【図５】
2013095515.tif 000007